(57)【要約】      （修正有）【課題】太陽光の波長組成に近い光線を発生する照明装置を提供する。【解決手段】筐体１００と、複数の放熱フィン２００と、ランプ３００と、マイクロ波発振器４００とを備える。筐体１００は、側壁１１０、底板及びカバー１３０を備える。側壁１１０は外側面１１１を有し、底板は側壁１１０の下方に設けられ、開口を有する。カバー１３０は側壁１１０の上方に設けられ、従って、側壁１１０、底板及びカバー１３０の間に収容空間１４０を形成し得る。放熱フィン２００は側壁１１０の外側面１１１に設けられてよい。ランプ３００は開口に設けられ、その内部に複数の粉末を有する。マイクロ波発振器４００は収容空間１４０内に設けられ、ランプ３００に接続されており、その発生したマイクロ波が集中的にランプ３００を照射し、ランプ３００内の粉末を励起して可視光を射出する。【選択図】図２
0003186147.tif 000002
【実用新案登録請求の範囲】
【請求項１】
外側面を有する側壁、前記側壁の下方に設けられ、開口を有する底板、前記側壁の上方に設けられるカバーを備え、前記側壁、前記底板及び前記カバーの間に収容空間が形成される筐体と、
前記側壁の前記外側面に設けられる複数の放熱フィンと、
前記開口に設けられ、その内部に複数の粉末を有するランプと、
前記収容空間内に設けられ、前記ランプに接続されるマイクロ波発振器と
を備える照明装置。
【請求項２】
前記マイクロ波発振器は、その内部に設けられ、前記ランプに隣接する開口端を有するチャネルを備える請求項１に記載の照明装置。
【請求項３】
前記マイクロ波発振器は、一端が前記チャネルの前記開口端に隣接するスルホールを備える請求項２に記載の照明装置。
【請求項４】
前記ランプは、前記スルホールに収納される棒状テールを備える請求項３に記載の照明装置。
【請求項５】
前記収容空間内に設けられ、前記マイクロ波発振器に接続され、且つ前記棒状テールに接続されるモータを更に備える請求項４に記載の照明装置。
【請求項６】
前記放熱フィンは、更に前記側壁の内側面に設けられる請求項１に記載の照明装置。
【請求項７】
前記放熱フィンは、更に前記カバーに設けられる請求項１に記載の照明装置。
【請求項８】
前記放熱フィンは、更に前記底板に設けられる請求項１に記載の照明装置。
【請求項９】
前記収容空間内に設けられ、前記収容空間内の空気を流動させることに用いられる第１のファンを更に備える請求項１に記載の照明装置。
【請求項１０】
前記底板の下方に設けられ、前記底板と共に前記ランプをシールする光透過ランプシェイドを更に備える請求項１に記載の照明装置。
【請求項１１】
前記底板の下方に設けられ、前記ランプを被覆する金属メッシュエンクロージャを更に備える請求項１に記載の照明装置。
【請求項１２】
前記底板の下方に設けられ、前記底板と共に前記ランプ及び前記金属メッシュエンクロージャをシールする光透過ランプシェイドを更に備える請求項１１に記載の照明装置。
【請求項１３】
前記側壁、前記底板、前記カバー及び前記マイクロ波発振器の側面は、前記収容空間をシールする請求項１〜１２のいずれか一項に記載の照明装置。
【請求項１４】
前記カバーの上方に設けられる第２のファンを更に備える請求項１に記載の照明装置。
【請求項１５】
前記第２のファンの上方に設けられるトップシェイドを更に備え請求項１４に記載の照明装置。
【請求項１６】
前記トップシェイドの中央に複数の開孔を有する請求項１４に記載の照明装置。
【考案の詳細な説明】
【技術分野】
【０００１】
本考案は、照明装置に関し、特に太陽光の波長組成に近い光線を発生できる照明装置に関する。
【背景技術】
【０００２】
近年、発光ダイオード技術が進歩したことに加え、発光ダイオードが省エネで、寿命が長いので、照明装置の光源として広く用いられている。しかし、発光ダイオードの射出した光の波長範囲は狭いので、白光を発生して一般の日常の照明装置に応用できるようにするために、通常、異なる色を有する発光ダイオードそれぞれを複数並んでさらにこれらの発光ダイオードの射出した光を混合して白光に調整したり、発光ダイオードの射出した短波長の光をリン（ｐｈｏｓｐｈｏｒ）に照射して白光を射出したりする。しかし、これらの方法で射出した白光は、演色性が良くなく、本物の太陽光を模擬したものとはなりくい。
【０００３】
なお、ハロゲンランプ（Ｈａｌｏｇｅｎ  ｌａｍｐ）は、演色性が高く、太陽光に近い発光装置の1つである。ランプ内にヨウ素又は臭素等のハロゲンガスを注入する原理による。高温では、蒸発したタングステン線とハロゲンが化学作用を行い、蒸発したタングステンが改めてタングステン線に凝固し、バランスの取れた循環を形成して、タングステン線が早期に破断することを避けるので、ハロゲンランプが白熱電球より寿命が長い。しかし、ハロゲンランプは、エネルギー消費量が高く、寿命が短く、熱が発生しやすく、特に、ハロゲンランプが発光する同時に紫外光が射出され、長期使用で白内障又はその他の皮膚病変を誘発する恐れがあることである。そのため、ハロゲンランプを使用する場合は極めて大きく制限されている。
【０００４】
これに鑑みて、少なくとも1種の上述した欠陥を改善できる装置を提供することは、この業界が迫って解決しようとする課題となる。
【考案の概要】
【考案が解決しようとする課題】
【０００５】
本考案は、太陽光の波長組成に近い光線を発生する照明装置を提供することを目的とする。
【課題を解決するための手段】
【０００６】
上述した目的を達成するために、本考案のこの照明装置は、筐体と、複数の放熱フィンと、ランプと、マイクロ波発振器とを備える。この筐体は、側壁、底板及びカバーを備える。この側壁は外側面を有し、底板はこの側壁の下方に設けられ、開口を有する。このカバーは、この側壁の上方に設けられ、従って、この側壁、底板及びカバーの間に収容空間を形成し得る。これらの放熱フィンは、側壁のこの外側面に設けられてよい。このランプは、この開口に設けられ、その内部に複数の粉末を有する。このマイクロ波発振器は、この収容空間内に設けられ、このランプに接続される。
【０００７】
上述した目的、技術特徴及び効果をより分かりやすくするために、以下、好ましい実施例で添付図面を参照しながら詳しい説明を行う。
【図面の簡単な説明】
【０００８】
【図１】本考案の照明装置の第１の実施例の立体組立図である。
【図２】本考案の照明装置の第１の実施例の立体分解図である。
【図３】本考案の照明装置の第１の実施例の筐体の上面図（カバー未図示）である。
【図４】本考案の照明装置の第１の実施例のマイクロ波発振器、ランプ及びモータの立体模式図である。
【図５】本考案の照明装置の第１の実施例のマイクロ波発振器、ランプ及びモータの側面図である。
【図６Ａ】本考案の照明装置の第１の実施例の別の立体組立図である。
【図６Ｂ】本考案の照明装置の第１の実施例の更に別の立体組立図である。
【考案を実施するための形態】
【０００９】
それぞれが本考案の照明装置の第１の実施例の立体組立図及び分解図である図１及び図２を参照する。本実施例において、照明装置１が提案される。照明装置１は、筐体１００と、複数の放熱フィン２００と、ランプ３００と、マイクロ波発振器４００とを備え、そのうち、複数の放熱フィン２００が筐体１００の側面に設けられ、ランプ３００が筐体１００の他方の側面に設けられ、マイクロ波発振器４００が筐体１００の内部に設けられるようにしてよい。
【００１０】
具体的には、筐体１００は、側壁１１０、側壁１１０の下方に設けられる底板１２０及び側壁１１０の上方に設けられるカバー１３０を備え、この側壁１１０は更に選択的に底板１２０と一体成型されてもよく、側壁１１０、底板１２０及びカバー１３０の間に収容空間１４０が形成され得る。側壁１１０が外側面１１１を有し、これらの放熱フィン２００が側壁１１０の外側面１１１に設けられてよい。放熱フィン２００の数が多ければ、分布面積が広ければ、達成できる放熱效果が良いので、放熱フィン２００が底板１２０又は/及びカバー１３０に設けられてもよい。なお、放熱フィン２００が更に側壁１１０の内側面１１２(図３に示すように）に設けられてよく、更に収容空間１４０内の熱量をより早く周囲環境に排出させる。
【００１１】
図３は、本考案の照明装置の第１の実施例の筐体の上面図である。筐体の内部構造を示すので、カバーを示していない。底板１２０は開口１２１（即ち、貫通孔）を有し、ランプ３００がこの開口１２１に設けられ、開口１２１がランプ３００に対向してよい。ランプ３００の内部に複数の粉末（未図示）を有し、この粉末が金属粉末又は鉱石粉末等の粉末（例えば硫黄粉末）であってよい。
【００１２】
図１及び図２を参照すると、マイクロ波発振器４００が収容空間１４０内に設けられ、筐体１１０に対して固定できる。マイクロ波発振器４００は、ランプ３００に接続され、マイクロ波を発生してランプ３００に伝達することができる。ランプ３００内のこれらの粉末がマイクロ波に照射されると、これらの粉末は加熱されて液化・気化され、粉末の複数の電子が高エネルギー準位状態に励起されることになり、この高エネルギー準位状態の電子が低エネルギー準位状態に遷移すると、対応的に電磁波（光線）を射出する。
【００１３】
これらの粉末がこのマイクロ波に照射された後に射出したこの電磁波の波長が可視光の波長範囲内にあるようにすることができる。更に言うと、この電磁波の波長の組成が太陽光の波長の組成に近いので、照明用途に適合する。なお、異なる環境に対して、これらの粉末の組成を変更して異なる波長の電磁波を発生させることができ、例えばこれらの粉末の射出した電磁波の波長を植物に吸収されやすいものにして、温室内の照明に適合させて、作物の成長を促進させることができる。
【００１４】
次に、それぞれが本考案の照明装置の第１の実施例のマイクロ波発振器、ランプ及びモータの模式図と側面図である図４と図５を参照する。マイクロ波発振器４００の発生したマイクロ波を集中的にランプ３００に伝達するために、マイクロ波発振器４００の内部４１０にこのランプ３００に隣接する開口端４１２を有するチャネル４１１が設けられている。従って、マイクロ波発振器４００の発生したマイクロ波がチャネル４１１を介して開口端４１２から伝達されてランプ３００を照射することができ、マイクロ波散逸によるエネルギー損失で発光効率を低下させることが避けられる。
【００１５】
ランプ３００内の粉末がマイクロ波に照射されていない時に固体状態となり、これらの固体状態の粉末に平均にこれらのマイクロ波を照射して平均に発光させるために、ランプ３００を回動機構に接続してよい。このようにして、ランプ３００がこれらのマイクロ波に照射されると同時に回動でき、ランプ３００内のこれらの粉末にこれらのマイクロ波を均一に照射できる。従って、照明装置１は、上述した回動機構として、この収容空間１４０内に設けられ、ランプ３００に接続され、ランプ３００を駆動して回転させるモータ５００を含んでよい。
【００１６】
本実施例において、マイクロ波発振器４００は、一端がチャネル４１１の開口端４１２に隣接する収容孔４２０を更に備えてよく、ランプ３００は、収容孔４２０内に収納される棒状テール３１０を備えてよく、それによって、ランプ３００を開口端４１２に隣接して位置決めできる。モータ５００がマイクロ波発振器４００に接続されて、収容孔４２０の他端に位置するようにしてよく、その回転軸（未図示）が収容孔４２０に位置する棒状テール３１０に接続されるようにマイクロ波発振器４００に伸ばすことができ、モータ５００が棒状テール３１０を回動させる同時にランプ３００を連動して回動させることができる。
【００１７】
ランプ３００を水気、ほこり又は光を好む生物との直接な接触による機能上の損傷から保護するために、照明装置１は、底板１２０の下方（図１に示すように）に設けられ、底板１２０と共にこのランプ３００をシールする光透過ランプシェイド１２２を更に備えてよい。
【００１８】
同時に、ランプ３００に吸収されないマイクロ波を反射して発光効率を増強すること、及びマイクロ波の洩れによる付近生物への不良影響を避けることのために、照明装置１は、底板１２０の下方に設けられ、ランプ３００を被覆する金属メッシュエンクロージャ１２３を更に備えてよく、光透過ランプシェイド１２２がさらに底板１２０と共に金属メッシュエンクロージャ１２３をシールできる。他の実施例において、金属メッシュエンクロージャ１２３が光透過ランプシェイド１２２及びランプ３００を被覆するように光透過ランプシェイド１２２の外に設けられてよい。
【００１９】
図１及び図２を再び参照すると、水気、ほこり等の不良因子が収容空間１４０に入り、収容空間１４０内のマイクロ波生器４００又は他の電子回路素子がこの不良因子の影響を受けて損傷されることを防止するために、光透過ランプシェイド１２２によってランプ３００をシールするだけではなく、側壁１１０、底板１２０、カバー１３０及びマイクロ波発振器４００の側面によっても収容空間１４０をシールすることができる。従って、収容空間１４０にある空気は実質的に外界と隔絶しいる。言い換えると、収容空間１４０内のこの空気は周囲環境の空気と交換したり、対流したりしにくい。
【００２０】
収容空間１４０内の空気が環境の空気と交換したり対流したりできないので、筐体１００内の温度が高くなり過ぎることを避け、収容空間１４０内の熱を筐体１００の外に有効に伝導するために、照明装置は、第１のファン６００を更に備えてよい。この第１のファン６００は、収容空間１４０内に設けられてよく、収容空間１４０内のこの空気を強制的に流動させて放熱を促進する。本実施例において、第１のファン６００をマイクロ波発振器４００の上方に設け、そのファン回転軸を棒状テール３１０の延伸方向に平行にすることができる。他の実施例（未図示）においては、第１のファン６００を収容空間１４０内の他の位置に設けてよく、収容空間１４０内の空気を強制的に流動させる目的は達成できる。
【００２１】
次に、図２及び本考案の照明装置の第１の実施例の模式図である図６Ａを参照する。空気を強制的に流動させて放熱を促進するために、照明装置１は、このカバー１３０の上方に設けられ、そのファン回転軸を第１のファン６００のファン回転軸に鉛直平行にすることができる第２のファン７００更に備えてよい。照明装置１は、この第２のファン７００の上方に設けられ、筐体１００のカバー１３０に接続され得るトップシェイド８００を更に備えてよい。トップシェイド８００によって筐体１００の放熱を促進できる。
【００２２】
図６Ｂは本考案の照明装置の第１の実施例の更に別の立体模式図である。図に示すようにトップシェイド８００の中央に空気流動を促進できる機能を有する複数の開孔８０１を更に備えてよい。
【００２３】
上述のように、本考案の各実施例における照明装置は、太陽光の波長組成に近い光線を発生でき、又は植物に吸収されやすい波長を有する光線を発生できるので、一般の汎用の照明装置又は温室の照明装置に適する。なお、この照明装置の筐体はシールされたものであってよいので、筐体内の各素子は、周囲の環境の影響による損傷が発生しにくい。筐体の放熱フィンを設けることでも各素子の発生した熱量を有効に周囲に伝達でき、照明装置により長い寿命を持たせることができる。
【００２４】
上述した実施例は、本考案の実施態様を例示し、本考案の技術的特徴を説明することのみに用いられ、本考案の技術的特徴を限定するためのものではない。いかなる当業者が簡単に完成できる変更又は均等的な構成は、全て本考案の技術的範囲に含まれる。本考案の技術的範囲については、実用新案登録請求の範囲の記載に準ずるべきである。
【符号の説明】
【００２５】
１      照明装置
１００  筐体
１１０  側壁
１１１  側面
１１２  内側面
１２０  底板
１２１  開口
１２２  光透過ランプシェイド
１２３  金属メッシュエンクロージャ
１３０  カバー
１４０  収容空間
２００  放熱フィン
３００  ランプ
３１０  棒状テール
４００  マイクロ波発振器
４１０  内部
４１１  チャネル
４１２  開口端
４２０  収容孔
５００  モータ
６００  第１のファン
７００  第２のファン
８００  トップシェイド
８０１  開孔
【図１】
0003186147.tif 000003
【図２】
0003186147.tif 000004
【図３】
0003186147.tif 000005
【図４】
0003186147.tif 000006
【図５】
0003186147.tif 000007
【図６Ａ】
0003186147.tif 000008
【図６Ｂ】
0003186147.tif 000009